(57)【特許請求の範囲】
【請求項１】
光源から射出された光束を画像情報に応じて変調して投写するプロジェクターであって、
外部の空気を取り込む吸気口を有する外装筐体と、
前記吸気口を覆い、塵埃を捕捉する防塵フィルターと、
前記吸気口から取り込まれた空気を冷却対象に送風する吸気ファンと、
前記防塵フィルターの目詰まり状態に応じて開閉され、前記吸気ファンによる外部の空気を取り込み可能な補助吸気口と、
を備え、
前記補助吸気口は、前記吸気口の一部として設けられ、前記防塵フィルターの回転により開閉されることを特徴とするプロジェクター。
【請求項２】
請求項１に記載のプロジェクターであって、
前記補助吸気口から取り込まれた空気を前記冷却対象に導き、前記空気の流れが滞留する滞留部を有するダクトを備えることを特徴とするプロジェクター。
【請求項３】
請求項２に記載のプロジェクターであって、
前記滞留部には、塵埃を捕捉する捕捉部材が配置されていることを特徴とするプロジェ
クター。
【発明の詳細な説明】
【技術分野】
【０００１】
本発明は、プロジェクターに関する。
【背景技術】
【０００２】
従来、光源から射出された光束を画像情報に応じて変調してスクリーン等に投写するプロジェクターが知られている。
プロジェクターには、内部の温度上昇を抑制するために、冷却ファンが備えられ、外装筐体に設けられた吸気口から外気を取り込むように構成されている。そして、吸気口には、外気に混在する塵埃の進入を抑制するために防塵フィルターが配置されている。プロジェクターは、長期使用によって防塵フィルターが目詰まりすると、外気を適正に取り込むことができなくなり、内部の温度上昇を招く。そして、プロジェクターは、内部が所定の温度に達すると、点灯している光源を強制的に消灯させることにより、内部に配置される光学部品等の劣化を抑制するように構成されている（例えば、特許文献１参照）。
【０００３】
特許文献１のプロジェクターは、冷却ファンおよび防塵フィルター（エアフィルター）に加え、風量センサー、サーミスター、および制御装置を備える。風量センサーは、冷却ファンによる冷却空気の風量を検出する。サーミスターは、プロジェクターが設置される環境温度を検出する。制御装置は、風量センサー、サーミスターの検出結果に基づいて、警告表示の制御や、光源を消灯させるシャットダウン制御を行なうように構成されている。すなわち、特許文献１のプロジェクターは、防塵フィルターが目詰まりした際等、外気を適正に取り込むことができなくなり、内部が所定の温度に達すると、強制的に光源が消灯されるように構成されている。
【先行技術文献】
【特許文献】
【０００４】
【特許文献１】特開２００９−１５０１７号公報
【発明の概要】
【発明が解決しようとする課題】
【０００５】
しかしながら、従来のプロジェクターように、防塵フィルターが目詰まりして内部が異常に高温となり、点灯している光源を強制的に消灯させた場合には、プロジェクターを使用して会議などを行なっている場面等、出席者を驚かせ、かつ、会議自体を中断させてしまうことになる。従って、防塵フィルターが目詰まりし、プロジェクターの内部が異常に高温となった場合、強制的に光源を消灯させる前に、プロジェクターにおいて何らかの応急的な対策を取り、プロジェクターの利便性を向上させることが課題となっていた。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して投写するプロジェクターであって、外部の空気を取り込むための吸気口を有する外装筐体と、前記吸気口を覆い、前記外装筐体の内部に塵埃が侵入することを抑制する防塵フィルターと、前記吸気口から取り込んだ空気を冷却対象に送風する吸気ファンと、前記防塵フィルターの目詰まり状態に応じて開閉され、前記吸気ファンによる外部の空気を取り込み可能な補助吸気口と、を備えることを特徴とする。
【０００８】
この構成によれば、プロジェクターは、防塵フィルターによって覆われる吸気口、防塵フィルターの目詰まり状態に応じて開閉される補助吸気口、および外気を取り込む吸気ファンを備えている。これによって、防塵フィルターが外気を適正に通過させる状態において、補助吸気口を閉塞して吸気口から外気を取り込み、防塵フィルターが目詰まりした状態において、補助吸気口を開口させ、この補助吸気口から外気を取り込むことができる。よって、防塵フィルターが目詰まりした際にも、プロジェクター内部を冷却し、光学部品等の温度上昇を抑制することが可能となる。したがって、プロジェクターは、会議中等の使用中に防塵フィルターが目詰まりした際に、内部の温度上昇による光源の消灯や、防塵フィルター交換作業による投写の中断が回避され、継続した投写が可能となる。
【０００９】
［適用例２］上記適用例に係るプロジェクターにおいて、前記補助吸気口を有する前記外装筐体と、前記防塵フィルターの目詰まり状態に応じて前記補助吸気口を開閉する弁機構と、を備えることが好ましい。
【００１０】
この構成によれば、弁機構によって、防塵フィルターが目詰まりしていない場合には、補助吸気口を閉塞し、防塵フィルターが目詰まりした場合には、補助吸気口を開口することができる。これによって、プロジェクターは、簡素な構成で補助吸気口を開閉することが可能となり、製造工程の煩雑化やコスト上昇を抑制して、防塵フィルターが目詰まりした際の内部の冷却が可能となる。
【００１１】
［適用例３］上記適用例に係るプロジェクターにおいて、前記補助吸気口は、前記吸気口の一部に設けられ、前記防塵フィルターの回転により開閉されることが好ましい。
【００１２】
この構成によれば、防塵フィルターが吸気口を覆い補助吸気口が形成されない状態、つまり補助吸気口が閉塞された状態、および防塵フィルターが回転されて吸気口の一部が補助吸気口として開口された状態が可能となる。これによって、他の部材の増加を抑制して補助吸気口を開閉することが可能になると共に、吸気口の一部を補助吸気口として構成できるので外装筐体内の省スペース化が図れる。よって、プロジェクターは、製造工程の煩雑化や大型化を抑制して防塵フィルターが目詰まりした際の内部の冷却が可能となる。
【００１３】
［適用例４］上記適用例に係るプロジェクターにおいて、前記補助吸気口から取り込まれた空気を前記冷却対象に導き、前記空気の流れが滞留する滞留部を有する送風ダクトを備えることが好ましい。
【００１４】
この構成によれば、補助吸気口から取り込まれた空気は、滞留部で滞留するので、取り込まれた空気中に混在する塵埃を冷却対象に至る前にこの滞留部に留めておくことが可能となる。よって、プロジェクターは、補助吸気口から空気を取り込んだ際にも、冷却対象としての光学部品等に塵埃が付着することが抑制され、内部の温度上昇および画質の劣化を抑制することが可能となる。
【００１５】
［適用例５］上記適用例に係るプロジェクターにおいて、前記滞留部には、塵埃を捕捉する捕捉部材が配置されていることが好ましい。
【００１６】
この構成によれば、滞留部には、塵埃を捕捉する捕捉部材、例えば、粘着剤や帯電部材が配置されているので、補助吸気口から流入する空気に混在する塵埃を捕捉することができる。よって、補助吸気口から取り込まれ、送風ダクトに導かれた空気は、さらに塵埃が取り除かれて光学部品等に送風される。したがって、プロジェクターは、補助吸気口から空気を取り込んだ際にも、冷却対象としての光学部品等に塵埃が付着することがさらに抑制され、画質の劣化を抑制することが可能となる。
【図面の簡単な説明】
【００１７】
【図１】第１実施形態のプロジェクターの外観を示す斜視図。
【図２】第１実施形態のプロジェクターの概略構成を示す模式図。
【図３】第１実施形態のプロジェクターを模式的に示す断面図。
【図４】第２実施形態の防塵フィルターを模式的に示す斜視図。
【図５】第２実施形態のプロジェクターを模式的に示す断面図。
【図６】変形例の送風ダクトを模式的に示す断面図。
【発明を実施するための形態】
【００１８】
（第１実施形態）
以下、第１実施形態に係るプロジェクターについて、図面を参照して説明する。
本実施形態のプロジェクターは、光源から射出された光束を画像情報に応じて変調してスクリーン等に拡大投写する。
【００１９】
図１は、本実施形態のプロジェクター１の外観を示す斜視図である。図２は、本実施形態のプロジェクター１の概略構成を示す模式図である。
プロジェクター１は、図１、図２に示すように、外装を構成する外装筐体２、制御部（図示省略）、光源装置３１を有する光学ユニット３、吸気ユニット４、防塵フィルター５、弁機構６、排気ユニット７および図示しない電源装置等を備えている。なお、以下では、説明の便宜上、光源装置３１から光束が射出される方向を＋Ｘ方向、プロジェクターから投写される方向を＋Ｙ方向（前方向）、Ｘ方向およびＹ方向に直交し、図１の図面視における上を＋Ｚ方向（上方向）として記載する。
【００２０】
外装筐体２は、合成樹脂製であり、図１に示すように、上部分を構成するアッパーケース２１、および下部分を構成するロアーケース２２を備え、ネジ等により固定されている。
アッパーケース２１は、上面２１Ａ、前面２１Ｂ、側面２１Ｃ，２１Ｄおよび背面２１Ｅを有して構成される。
【００２１】
アッパーケース２１の前面２１Ｂには、略円形状の開口部２１１が形成されており、開口部２１１の内側の外装筐体２には、光学ユニット３に備えられた投写レンズ３６が配置されている。そして、投写レンズ３６からの光は、この開口部２１１から前方（＋Ｙ方向）に投写される。
【００２２】
アッパーケース２１の上面２１Ａには、操作パネル２０が配置されている。操作パネル２０は、プロジェクター１の各種設定を行うためのメニュー画像の表示／非表示を切り替えるメニューキー、入力ソースを切り替えるソース切替えキー等、各種指示を行うための複数のキー等を備えている。
【００２３】
アッパーケース２１の＋Ｘ側の側面２１Ｃには、図２に示すように、矩形状に凹む凹部２７が形成されており、凹部２７の＋Ｘ側の面には、複数の孔を有する吸気口２３が設けられている。外装筐体２の内部は、この吸気口２３から取り込まれた外部の空気によって冷却される。また、凹部２７には、通気性を有し、塵埃の通過を抑制する防塵フィルター５が吸気口２３を覆うように配置されており、外気に混在する塵埃が外装筐体２の内部に侵入することを抑制している。防塵フィルター５は、複数の矩形状の孔が設けられたフィルターカバー２４によって保持されており、フィルターカバー２４が着脱されることによって、交換可能に構成されている。
【００２４】
また、側面２１Ｃの吸気口２３の後方（−Ｙ方向）には、補助吸気口２５としての孔が形成されている。補助吸気口２５は、防塵フィルター５の目詰まり状態に応じて開閉され、後述するシロッコファン４１による外部の空気が取り込み可能になっている。補助吸気口２５の内側には、後述する弁機構６が配置されており、補助吸気口２５は、この弁機構６によって開閉される。
【００２５】
アッパーケース２１の−Ｘ側の側面２１Ｄには、図２に示すように、複数の孔を有する排気口２６が形成されており、光源の点灯等に伴って温まった外装筐体２内の空気は、この排気口２６から排出される。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や後述するシロッコファン４１および排気ファン７１の駆動の制御等を行う。
【００２７】
光学ユニット３は、制御部による制御の下、光源装置３１から射出された光束を光学的に処理して投写する。
光学ユニット３は、図２に示すように、光源装置３１に加え、照明光学装置３２、色分離光学装置３３、リレー光学装置３４、電気光学装置３５、投写レンズ３６、およびこれらの光学部品を光路上の所定位置に配置する光学部品用筐体３７を備える。
【００２８】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２９】
照明光学装置３２は、第１レンズアレイ３２１、第２レンズアレイ３２２、偏光変換素子３２３、および重畳レンズ３２４を備える。
第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４とともに、光束を後述する液晶ライトバルブ３５１の表面に略重畳させる。
偏光変換素子３２３は、第２レンズアレイ３２２から射出されたランダム偏光光を液晶ライトバルブ３５１で利用可能な略１種類の偏光光に揃える機能を有する。
【００３０】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００３１】
リレー光学装置３４は、入射側レンズ３４１、リレーレンズ３４３、および反射ミラー３４２，３４４を備え、色分離光学装置３３で分離されたＲ光をＲ光用の液晶ライトバルブ３５１Ｒまで導く機能を有する。なお、光学ユニット３は、リレー光学装置３４がＲ光を導く構成としているが、これに限らず、例えば、Ｂ光を導く構成としてもよい。
【００３２】
電気光学装置３５は、光変調装置としての液晶ライトバルブ３５１および色合成光学装置としてクロスダイクロイックプリズム３５２を備え、色分離光学装置３３で分離された各色光を画像情報に応じて変調する。
【００３３】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネルとその両面に配置された入射側偏光板、射出側偏光板を有している。
【００３４】
液晶ライトバルブ３５１は、図示しない微小画素がマトリクス状に形成された矩形状の画素領域を有し、各画素を表示画像信号に応じた光透過率に設定して、画素領域内に表示画像を形成する。そして、色分離光学装置３３で分離された各色光は、液晶ライトバルブ３５１にて変調された後、クロスダイクロイックプリズム３５２に射出される。
【００３５】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３６】
投写レンズ３６は、複数のレンズを組み合わせた組レンズとして構成され、クロスダイクロイックプリズム３５２にて合成された光束をスクリーン上に拡大投写する。
【００３７】
吸気ユニット４は、吸気ファンとしてのシロッコファン４１を備え、吸気口２３から外部の空気を取り込み、取り込んだ空気を電気光学装置３５に導いてこれらの光学部品を冷却する。なお、吸気ユニット４については、後で詳細に説明する。
【００３８】
防塵フィルター５は、前述したように、吸気口２３を覆うように配置され、シロッコファン４１によって吸気された空気は、この防塵フィルター５を介することによって塵埃が取り除かれて外装筐体２に取り込まれる。
【００３９】
弁機構６は、前述したように、補助吸気口２５の内側の外装筐体２に配置され、防塵フィルター５の目詰まり状態に応じて補助吸気口２５を開閉するように構成されている。なお、弁機構６については、後で詳細に説明する。
【００４０】
電源装置は、光源装置３１および制御部等に電力を供給する。電源装置は、外装筐体２内が異常に高温となった場合、制御部の指示に基づいて光源装置３１への電力の供給を停止し、光源３１１を消灯させる。
【００４１】
排気ユニット７は、排気ファン７１および図示しないダクト等を備え、光源３１１の点灯や電源装置の駆動に伴って温まる外装筐体２内の空気を排気口２６から外部に排出する。
【００４２】
ここで、吸気ユニット４および弁機構６について、詳細に説明する。
先ず、吸気ユニット４について説明する。
図３は、プロジェクター１を模式的に示す断面図であり、吸気ユニット４近傍を上方（＋Ｚ方向）から見た図である。吸気ユニット４は、図３に示すように、シロッコファン４１に加え、吸気ダクト４２および送風ダクト４３を備えている。
【００４３】
シロッコファン４１は、吸気口２３から取り込んだ空気を冷却対象に送風する。シロッコファン４１は、羽根の回転軸に沿って取り込んだ空気を回転接線方向に吐出するように形成されており、空気を吸入する吸入口４１１が吸気口２３に対向し、空気を吐出する吐出口４１２が後方（−Ｙ方向）を向くように配置されている。
【００４４】
吸気ダクト４２は、図３に示すように、シロッコファン４１の吸入口４１１側に配置され、吸気口２３および補助吸気口２５から吸入口４１１までの間の流路を形成している。吸気ダクト４２は、＋Ｘ側、−Ｘ側それぞれの端部に形成された開口部４２１，４２２を有し、開口部４２１が吸気口２３および補助吸気口２５を囲み、開口部４２２がシロッコファン４１の吸入口４１１を囲むように形成されている。
【００４５】
送風ダクト４３は、吸気口２３および補助吸気口２５から取り込まれた空気を冷却対象としての液晶ライトバルブ３５１に導く機能を有している。送風ダクト４３は、シロッコファン４１の吐出口４１２側に配置され、吐出口４１２から電気光学装置３５の下方までの間の流路を形成している。送風ダクト４３は、図３に示すように、開口部４３１，４３２Ｒ，４３２Ｇ，４３２Ｂ、および迂回部４３３を有している。
【００４６】
開口部４３１は、シロッコファン４１の吐出口４１２を覆うように形成されている。開口部４３２Ｒ，４３２Ｇ，４３２Ｂは、送風ダクト４３の−Ｘ側端部近傍の上面（＋Ｚ側の面）に設けられており、液晶ライトバルブ３５１Ｒ，３５１Ｇ，３５１Ｂのそれぞれ下方に位置するように形成されている。
【００４７】
迂回部４３３は、開口部４３１と開口部４３２Ｒ，４３２Ｇ，４３２Ｂとの間の流路が後方（−Ｙ方向）に迂回されて形成された部位であり、−Ｘ側端部には、−Ｘ方向および＋Ｙ方向にする突出する滞留部４３４が設けられている。この滞留部４３４は、シロッコファン４１から吐出された空気の流れが滞留するように形成されている。
【００４８】
また、迂回部４３３の内面には、塵埃を捕捉する捕捉部材としての粘着剤４３５が配置されている。つまり、吸気口２３および補助吸気口２５から取り込まれ、シロッコファン４１から吐出される空気は、この送風ダクト４３を流通する過程において、内部に混在する塵埃が粘着剤４３５によって捕捉されると共に、滞留部４３４で滞留することとなる。
【００４９】
なお、捕捉部材として帯電部材等を使用してもよい。また、開口部４３２Ｒ，４３２Ｇ，４３２Ｂから流出される空気が各液晶ライトバルブ３５１を効率良く冷却する風量となるように、シロッコファン４１から吐出される空気を分離するための仕切りを送風ダクト４３内に設けるように構成してもよい。
【００５０】
次に、弁機構６について説明する。
弁機構６は、防塵フィルター５が目詰まりしていない場合に補助吸気口２５を閉塞し、防塵フィルター５が目詰まりした際に、補助吸気口２５を開口するように構成されている。
弁機構６は、図３に示すように、可動片６１、固定部６２およびヒンジ部６３を有し、可動片６１が回転することによって補助吸気口２５を開閉するように構成されている。
【００５１】
可動片６１は、補助吸気口２５を閉塞可能なサイズの板状に形成されている。固定部６２は、図示しないネジ等で側面２１Ｃの反対側の内面に固定されている。ヒンジ部６３は、可動片６１が回転可能に可動片６１の一端と固定部６２とを連結している。そして、弁機構６は、補助吸気口２５を閉塞する状態が初期状態として設定されている。
【００５２】
ここで、弁機構６の動作について説明する。
防塵フィルター５が目詰まりしていない場合、吸気口２３から外気が流入して外装筐体２の内外で圧力差が生じないため、弁機構６は、補助吸気口２５を閉塞する初期状態を維持する。そして、シロッコファン４１が駆動されることによって防塵フィルター５を介して吸気口２３から取り込まれた外気は、送風ダクト４３を流通して液晶ライトバルブ３５１を冷却する。
【００５３】
防塵フィルター５が目詰まりすると、吸気口２３から空気が吸入されない一方で、排気ファン７１によって外装筐体２内部の空気が排出されようとするために、外装筐体２内部は、負圧状態となる。外装筐体２内部が負圧状態になると、可動片６１は、外気からの圧力を受けて回転し、補助吸気口２５が開口する。そして、補助吸気口２５から外気が取り込まれることとなる。補助吸気口２５から取り込まれた空気は、吸気口２３から取り込まれた空気と同様に、送風ダクト４３を流通して液晶ライトバルブ３５１を冷却する。
【００５４】
そして、目詰まりした防塵フィルター５から目詰まりしていない防塵フィルター５に交換されると、外装筐体２の内外で圧力差がなくなり、可動片６１は、補助吸気口２５を閉塞する初期状態に復帰し、吸気口２３から外気が取り込まれることとなる。
【００５５】
このように、補助吸気口２５は、防塵フィルター５の目詰まり状態に応じて弁機構６によって開閉される。そして、液晶ライトバルブ３５１は、防塵フィルター５が目詰まりしていない場合には、弁機構６が補助吸気口２５を閉塞して吸気口２３から取り込まれた空気によって冷却される。一方、液晶ライトバルブ３５１は、防塵フィルター５が目詰まりした場合には、弁機構６が補助吸気口２５を開口して補助吸気口２５から取り込まれた空気によって冷却される。
【００５６】
以上説明したように、本実施形態のプロジェクター１によれば、以下の効果を得ることができる。
（１）プロジェクター１は、防塵フィルター５が目詰まりした際にも、補助吸気口２５から外気を取り込み、光学部品等の温度上昇を抑制することが可能となる。したがって、プロジェクター１は、会議中等の使用中に防塵フィルター５が目詰まりした際に、内部の温度上昇による光源３１１の消灯や、防塵フィルター５交換作業による投写の中断が回避され、継続した投写が可能となる。
【００５７】
（２）弁機構６は、外装筐体２の内外の圧力差によって、防塵フィルター５が目詰まりしていない場合には、補助吸気口２５を閉塞し、防塵フィルター５が目詰まりした場合には、補助吸気口２５を開口させる。これによって、プロジェクター１は、簡素な構成で補助吸気口２５を開閉することが可能となり、製造工程の煩雑化やコスト上昇を抑制して、防塵フィルター５が目詰まりした際の光学部品の冷却が可能となる。
【００５８】
（３）吸気口２３および補助吸気口２５から取り込まれた空気は、滞留部４３４で滞留するので、取り込まれた空気中に混在する塵埃を液晶ライトバルブ３５１Ｒ，３５１Ｇ，３５１Ｂに至る前にこの滞留部４３４に留めておくことが可能となる。
よって、プロジェクター１は、吸気口２３から空気を取り込んだ際には、防塵フィルター５に加えて滞留部４３４によって、液晶ライトバルブ３５１に塵埃が付着することを抑制することが可能となる。また、プロジェクター１は、補助吸気口２５から空気を取り込んだ際にも、滞留部４３４によって液晶ライトバルブ３５１に塵埃が付着することを抑制することが可能となる。したがって、プロジェクター１は、吸気口２３から空気を取り込んだ際はもとより、補助吸気口２５から空気を取り込んだ際にも、内部の温度上昇および画質の劣化を抑制して投写することが可能となる。
【００５９】
（４）迂回部４３３には、塵埃を捕捉する粘着剤４３５が配置されているので、吸気口２３および補助吸気口２５から流入する空気に混在する塵埃を捕捉することができる。よって、吸気口２３および補助吸気口２５から取り込まれ、送風ダクト４３に導かれた空気は、さらに塵埃が取り除かれて液晶ライトバルブ３５１に送風される。したがって、プロジェクター１は、吸気口２３から空気を取り込んだ際はもとより、補助吸気口２５から空気を取り込んだ際にも、液晶ライトバルブ３５１に塵埃が付着することがさらに抑制され、画質の劣化を抑制することが可能となる。
【００６０】
（５）防塵フィルター５が目詰まりした際に、補助吸気口２５から外気が流入することによって、外装筐体２の他の隙間、例えば投写レンズ３６と外装筐体２との隙間等から外気、すなわち外気に混在する塵埃が流入することが抑制される。よって、プロジェクター１は、画質の劣化をさらに抑制することが可能となる。
【００６１】
（第２実施形態）
次に、第２実施形態に係るプロジェクター１について、図面を参照して説明する。以下の説明では、第１実施形態のプロジェクター１と同様の構造および同様の部材には、同一符号を付し、その詳細な説明は省略または簡略化する。
本実施形態のプロジェクター１は、第１実施形態の弁機構６が削除され、第１実施形態の防塵フィルター５に替えて回転可能に構成された防塵フィルター１５を備えている。
【００６２】
図４は、防塵フィルター１５を模式的に示す斜視図である。図５は、本実施形態のプロジェクター１を模式的に示す断面図であり、防塵フィルター１５近傍を上方（＋Ｚ方向）から見た図である。防塵フィルター１５は、図４に示すように、通気性を有し、塵埃の通過を抑制するフィルター本体１５１、およびフィルター本体１５１を保持するフィルター枠１５２を有している。
【００６３】
フィルター枠１５２は、合成樹脂製であり、フィルター本体１５１の外周を保持する外周縁部１５３、およびフィルター本体１５１の外気が流入する側を保持するカバー部１５４（図５参照）を有し、カバー部１５４には、空気が通過する複数の貫通孔が形成されている。また、フィルター枠１５２には、外周縁部１５３の上面（＋Ｚ側の面）および下面（−Ｚ側の面）からそれぞれ突出する軸部１５６が設けられている。上下の軸部１５６は、上下方向（±Ｚ方向）に延出する中心軸１５６Ｊを同軸とし、±Ｙ方向において外周縁部１５３の中央より＋Ｙ側に設けられている。
【００６４】
外周縁部１５３の＋Ｙ側の側面１５３Ａは、断面視において中心軸１５６Ｊを中心とする円弧状に形成され、−Ｙ側の側面は、＋Ｘ側の角部が上下方向に沿って切り欠かれた切欠き１５５を有して段差状に形成されている。
【００６５】
防塵フィルター１５は、図５に示すように、軸部１５６が外装筐体２に形成された図示しない軸受部に挿入されて、吸気口１２３を覆うように配置されている。そして、防塵フィルター１５は、カバー部１５４の外面が外装筐体２の側面２１Ｃに沿い、吸気口１２３を覆うように配置された初期状態から反時計回り（図５におけるＣＣＷ方向）に回転可能になっている。
【００６６】
外装筐体２の吸気口１２３は、フィルター枠１５２が挿入可能な大きさに形成されている。そして、吸気口１２３には、図５に示すように、フィルター枠１５２の切欠き１５５に係合する突起部２３１、および外周縁部１５３の側面１５３Ａに交差する−Ｘ側の面に当接する突起部２３２が設けられている。また、側面１５３Ａに対向する吸気口１２３の内面１２３Ａは、断面視において中心軸１５６Ｊを中心とする円弧状に形成され、防塵フィルター１５が回転可能な範囲で側面１５３Ａとの隙間が僅かとなるように設定されている。
【００６７】
また、防塵フィルター１５は、図示しないねじりコイルバネ等の付勢部材によって付勢され、フィルター枠１５２の両端が突起部２３１，２３２にそれぞれ当接して吸気口１２３を覆う初期状態として設定されている。防塵フィルター１５は、初期状態において、吸気口１２３の内周縁に対して、−Ｙ側および＋Ｙ側の隙間が段差状となることで外装筐体２外部の塵埃が内部に侵入することを抑制している。
【００６８】
吸気ユニット１４は、第１実施形態と同様のシロッコファン４１、送風ダクト４３、および第１実施形態の吸気ダクト４２と形状の異なる吸気ダクト１４２を備えている。シロッコファン４１は、防塵フィルター１５が回転可能となるスペースを有するように防塵フィルター１５から離間して配置されている。
【００６９】
吸気ダクト１４２は、第１実施形態の吸気ダクト４２と同様に、吸気口１２３からシロッコファン４１の吸入口４１１までの間の流路を形成している。吸気ダクト１４２は、＋Ｘ側、−Ｘ側それぞれの端部に形成された開口部を有して筒状に形成され、それぞれの開口部が吸気口１２３、シロッコファン４１の吸入口４１１を囲むように形成されている。
【００７０】
ここで、防塵フィルター１５の動作について説明する。
防塵フィルター１５が目詰まりしていない場合、第１実施形態と同様に、吸気口１２３から空気が流入して外装筐体２の内外で圧力差が生じないため、防塵フィルター１５は、付勢部材に付勢されて吸気口１２３を覆う初期状態が維持される。そして、防塵フィルター１５を介して吸気口１２３から取り込まれた空気は、第１実施形態と同様に、送風ダクト４３を流通して液晶ライトバルブ３５１を冷却する。
【００７１】
一方、防塵フィルター１５が目詰まりすると、第１実施形態と同様に、外装筐体２内部が負圧状態となるので、防塵フィルター１５には、外装筐体２の外気からの圧力が加わる。防塵フィルター１５は、軸部１５６が±Ｙ方向において外周縁部１５３の中央より＋Ｙ側寄りに設けられているので、軸部１５６に対して＋Ｙ側より−Ｙ側により大きな力が加わり、軸部１５６を中心にＣＣＷ方向に回転する（図５において、二点鎖線で示す）。
【００７２】
そして、図５に示すように、防塵フィルター１５が回転することによって、防塵フィルター１５の−Ｙ方向には、吸気口１２３の内周縁と防塵フィルター１５の外周縁との間に吸気口１２３の一部が補助吸気口１２５として開口する。つまり、補助吸気口１２５は、吸気口１２３の一部に設けられ、この補助吸気口１２５から外気が取り込まれることとなる。そして、補助吸気口１２５から取り込まれた空気は、第１実施形態と同様に、送風ダクト４３を流通して液晶ライトバルブ３５１を冷却する。
【００７３】
また、目詰まりした防塵フィルター１５から目詰まりしていない防塵フィルター１５に交換されると、外装筐体２の内外で圧力差がなくなり、防塵フィルター１５は、吸気口１２３を覆う初期状態に復帰し、補助吸気口１２５が閉塞された状態となり、吸気口１２３から外気が取り込まれることとなる。
【００７４】
このように、補助吸気口１２５は、防塵フィルター１５の目詰まり状態に応じて吸気口１２３の一部に設けられ、防塵フィルター１５の回転により開閉される。そして、液晶ライトバルブ３５１は、防塵フィルター１５が目詰まりしていない場合には、防塵フィルター１５が吸気口１２３を覆い、吸気口１２３から取り込まれた空気によって冷却される。一方、液晶ライトバルブ３５１は、防塵フィルター１５が目詰まりした場合には、防塵フィルター１５が回転して補助吸気口１２５が開口し、補助吸気口１２５から取り込まれた空気によって冷却される。
【００７５】
以上説明したように、本実施形態のプロジェクター１によれば、実施形態１の効果に加え、以下の効果を得ることができる。
補助吸気口１２５は、防塵フィルター１５の回転により開閉されるので、部品点数の増加を抑制して補助吸気口１２５の開閉が可能となる。また、吸気口１２３の一部を補助吸気口１２５として構成できるので、吸気ダクト１４２の小型化等が可能となり、外装筐体２内の省スペース化が図れる。よって、プロジェクター１は、製造工程の煩雑化や大型化を抑制して防塵フィルター１５が目詰まりした際の内部の冷却が可能となる。
【００７６】
（変形例）
なお、前記実施形態は、以下のように変更してもよい。
前記実施形態の滞留部４３４や捕捉部材は、送風ダクト４３内に設けられているが、吸気ダクト４２，１４２内に設けるように構成してもよい。
【００７７】
防塵フィルター５，１５の目詰まりを検知する検知部、および弁機構６、防塵フィルター５，１５を駆動する駆動機構を設け、この検知部の検出結果に応じて弁機構６、防塵フィルター５，１５が駆動されることによって、補助吸気口２５，１２５が開閉されるように構成してもよい。
【００７８】
前記実施形態では、液晶ライトバルブ３５１を冷却対象として構成されているが、液晶ライトバルブ３５１に限らず、偏光変換素子３２３等の他の部品を冷却対象として構成してもよい。
【００７９】
前記第２実施形態の防塵フィルター１５は、上下方向（±Ｚ方向）に延出する中心軸１５６Ｊを中心に回転することで補助吸気口１２５を開閉するように構成されているが、±Ｘ方向に延出する回転軸を中心に回転することで補助吸気口１２５が開閉するように構成してもよい。
【００８０】
送風ダクトの迂回部４３３を交換できるように構成してもよい。
【００８１】
滞留部は、前記実施形態の滞留部４３４に限らず、吸気ダクト内や送風ダクト内に空気の流れを変える部位を設けることで空気の流れが滞留するように構成してもよい。図６は、変形例の送風ダクト２４０を模式的に示す断面図である。例えば、図６に示すように、送風ダクト２４０内に、シロッコファン４１の吐出口４１２から吐出される空気の流れに対して傾斜する複数の障壁部２４１を設け、この障壁部２４１を滞留部として構成してもよい。また、この障壁部２４１に捕捉部材を配置するように構成してもよい。
【００８２】
前記実施形態のプロジェクター１は、光変調装置として透過型の液晶パネルを用いているが、反射型の液晶パネルを利用したものであってもよい。また、光変調装置は、マイクロミラーアレイを用いたデバイス等を使用したものであってもよい。
【００８３】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００８４】
１…プロジェクター、２…外装筐体、３…光学ユニット、５，１５…防塵フィルター、６…弁機構、７…排気ユニット、１４…吸気ユニット、２１…アッパーケース、２２…ロアーケース、２３，１２３…吸気口、２５，１２５…補助吸気口、２６…排気口、３１…光源装置、４１…シロッコファン、４２，１４２…吸気ダクト、４３，２４０…送風ダクト、６１…可動片、６２…固定部、６３…ヒンジ部、１５１…フィルター本体、１５２…フィルター枠、１５６…軸部、１５６Ｊ…中心軸、２４１…障壁部、３１１…光源、３５１，３５１Ｒ，３５１Ｇ，３５１Ｂ…液晶ライトバルブ、４３３…迂回部、４３４…滞留部、４３５…粘着剤。
【図１】
0005488111.tif 000002
【図２】
0005488111.tif 000003
【図３】
0005488111.tif 000004
【図４】
0005488111.tif 000005
【図５】
0005488111.tif 000006
【図６】
0005488111.tif 000007